(57)【要約】      （修正有）【課題】夜間使用時でも使用者が覚醒しにくいようにし得る便器装置を提供する。【解決手段】壁面の前方に設置された便器装置１であって、背面１ａには、壁面に向けて発光する光源部８が設けられている。また、光源部８は、背面１ａの上部に設けられていることが望ましい。また、光源部８は、背面１ａに形成された凹所７ａｂに組み込まれていることが望ましい。【選択図】図１
2015117526.tif 000002
【特許請求の範囲】
【請求項１】
壁面の前方に設置された便器装置であって、
背面には、前記壁面に向けて発光する光源部が設けられていることを特徴とする便器装置。
【請求項２】
請求項１において、
前記光源部は、前記背面の上部に設けられていることを特徴とする便器装置。
【請求項３】
請求項１又は請求項２において、
前記光源部は、前記背面に形成された凹所に組み込まれていることを特徴とする便器装置。
【発明の詳細な説明】
【技術分野】
【０００１】
本発明は、室内照明用の光源部が設けられた便器装置に関する。
【背景技術】
【０００２】
前記のような便器装置に係る従来技術の例として、例えば次の特許文献１が挙げられる。この文献には、便座回転軸と便蓋回転軸との間に光源部を設けた便器装置が開示されている。
【先行技術文献】
【特許文献】
【０００３】
【特許文献１】特開２００７−３２１３８７号公報
【発明の概要】
【発明が解決しようとする課題】
【０００４】
しかしながら、前記特許文献１の構成では、光源部が便座回転軸と便蓋回転軸との間に設けられている。そのため、小用を足そうとする男子が正面から便器装置を見下ろした場合には、その光源部の直接光がその者の目を射すことになって、その者を覚醒させてしまうことも有り得る。
【０００５】
本発明は、上記実情に鑑みてなされたものであり、夜間使用時でも使用者が覚醒しにくいようにし得る便器装置を提供することを目的とする。
【課題を解決するための手段】
【０００６】
前記目的を達成するために、本発明に係る便器装置は、壁面の前方に設置された便器装置であって、便器本体の背面には、前記壁面に向けて発光する光源部が設けられていることを特徴とする。
本発明において、前記光源部は、前記背面の上部に設けられているものとしてもよい。
また本発明において、前記光源部は、前記背面に形成された凹所に組み込まれているものとしてもよい。
【発明の効果】
【０００７】
本発明に係る便座装置は、光源部を使用者が直視できない箇所に設けたことにより、使用者が夜間使用時に覚醒しにくいようにすることができる。
【図面の簡単な説明】
【０００８】
【図１】（ａ）は本発明の実施形態に係る便器装置を背面からみた概略的斜視図であり、（ｂ）は（ａ）のＸ部拡大図である。
【図２】（ａ）及び（ｂ）は同便器装置を背面側からみた一部拡大図であり、（ａ）は光源部のカバーを取り外した状態、（ｂ）光源部にカバーを取り付けた状態を示している。
【図３】同便器装置を模式的に示した概略的斜視図である。
【図４】（ａ）及び（ｂ）は同便器装置の設置状態を模式的に示した側面図であり、（ａ）は便蓋を閉じた状態、（ｂ）は便蓋を開けた状態を示している。
【図５】（ａ）及び（ｂ）は同便器装置をトイレ空間に入室した使用者からみた状態を模式的に示した図であり、（ａ）は同便器装置を正面斜め４５度からみた概略的斜視図、（ｂ）は同便器装置を正面斜め３０度からみた概略的斜視図である。
【発明を実施するための形態】
【０００９】
以下、本発明の実施形態の一例とされる便器装置について図面を参照しながら説明する。
なお、一部の図では、他図に付している詳細な符号の一部を省略している。
また、以下の実施形態では、床１１に設置された便器装置１に対面した状態を基準として、手前側を前方、その逆側を後方とし、また、その状態を基準として、上下方向及び左右方向の方向を説明する。図中、図１（ａ）、図１（ｂ）、図２（ａ）は光源部８のカバー８０を外した状態、図２（ｂ）は光源部８のカバー８０を取り付けた状態を示している。
本実施形態に係る便器装置１は、壁面１０の前方に設置され、その背面１ａには、壁面１０に向けて発光する光源部８が設けられている。
以下、詳しく説明する。
【００１０】
便器装置１は、便器本体２と、便座４と、便蓋５とを備えており、この便器装置１は、図４に示すように壁面１０の前方に設置されている。便器本体２は、ボウル部３と、スカート部６と、ケース部７と、カバー部９とを備えている。
便器装置１は、ボウル部３内に供給する水を溜めるためのタンクを有さないタンクレス式となっている。
ボウル部３は、硬質のＡＢＳ、アクリルなどの合成樹脂などで製され、ボウル部本体３ａとリム部３ｂとを溶着してなり、ボウル部本体３ａの側面を覆い隠すように平面視において略Ｕ字状のスカート部６が取り付けられる。
【００１１】
詳しく図示していないが、ボウル部本体３ａは、洗浄水をボウル部３内に供給する給水口と、鉢部と、その底部に開設した排水口と、その排水口から連通形成された排水管とを備えている。その排水管には、ターントラップ式などによる排水手段（不図示）が連通して接続されている。リム部３ｂは、ボウル部本体３ａの上部平面形状にそって通水路を形成し、その通水路を上方より覆うように形成したリム端縁部３ｂａを備えている。
【００１２】
リム端縁部３ｂａは、ボウル部３内方に周壁状に形成され、そのボウル部３後端側には、図３に示すように局部洗浄ノズル（不図示）が収容された出入口が形成されており、上端が軸支された開閉蓋３ｂｂが設けられている。開閉蓋３ｂｂが閉状態にあるときに局部洗浄操作がされると、局部洗浄ノズルが伸張し、ノズル先端が開閉蓋３ｂｂを押し上げて開口部を開き、噴出口より局部洗浄水を噴出するようになっている。
【００１３】
便座４は、図３に示すように中央に設けられた円形状の空所４ａと、空所４ａを囲むように形成され使用者が着座する面となる座面部４ｂと、後端側に左右に突出して形成された一対の便座アーム部４ｃ,４ｃとを有している。便座４の後方に設置されたケース部７の前方の上端角部には、取付凹所７ｃが設けられており、一対の便座アーム部４ｃ,４ｃは、左右一対の回動軸４ｄ,４ｄを介して取付凹所７ｃに回動自在に取り付けられている。これにより、便座４の前方を持てば、回動軸４ｄを軸にボウル部３の上面に載置された状態（図３参照）から略９０°の位置まで回動自在に動かすことができる。
【００１４】
便蓋５は、便座４の上に被さるように設けられ、蓋部５ａと、側面部５ｂと、一対の便蓋アーム部５ｃ,５ｃとを有している。蓋部５ａは、便座４を上方から覆うように設けられる。側面部５ｂは、便座４の側部を覆うように設けられ、図１（ｂ）に示すように便蓋５が閉じられた状態では、スカート部６と略面一になるように形成されている。一対の便蓋アーム部５ｃ,５ｃは、便蓋５の後端側の左右に突出して形成されており、図１（ｂ）に示すように便蓋５を閉じた状態において取付凹所７ｃと整合するような形状とされている。一対の便蓋アーム部５ｃ,５ｃは、一対の便座アーム部４ｃ,４ｃよりさらに後方側に左右一対の回動軸（不図示）を介して取付凹所７ｃに回動自在に取り付けられている。これにより、便蓋５の前方を持てば、回動軸を軸に、閉じた状態（図１（ａ）参照）から、略９０°の位置に開いた状態（図３参照）まで回動自在に動かすことができる。
【００１５】
便器装置１の後方側には、図１（ａ）等に示すようにケース部７とカバー部９とが配備されている。具体的には、便座４の後方位置にケース部７が、ボウル部３の後方位置にはカバー部９が設けられている。
ケース部７は、側面から背面を覆う周壁部７ａと、上面を覆う上面部７ｂと、前面を覆う前面部７ｄとを備えた合成樹脂等からなるケース体であり、下面開口の略矩形状に形成されている。ケース部７の前方の上端角部には、上述の取付凹所７ｃが閉じられた便蓋５の後方縁部と整合するように形成されている。ケース部７内には、局部洗浄装置、乾燥装置とよりなる局部洗浄ユニット、給排水ユニット、脱臭装置、操作ユニット、洗剤タンクユニット、そして背面１ａに設けられた光源部８を駆動制御する照明ユニット等、電気系統の装置が収納されている。
【００１６】
カバー部９は、下側部カバー９ａと、中間カバー９ｂと、背面カバー９ｃとを備えている。下側部カバー９ａは、ボウル部３の後方に配備される排水手段、洗剤タンク等を覆い隠すように、またスカート部６と面一になるように配されている。中間カバー９ｂは、ケース部７の周壁部７ａと下側部カバー９ａとの間に設けられており、図中、９ｂａは洗剤補充部を示している。この洗剤補充部９ｂａは引出すと洗剤タンクに洗剤を補充できるように構成されており、この洗剤タンクにためられた洗剤は、ボウル部３を洗浄する水に投入され、ボウル部３の洗浄液となる。背面カバー９ｃは、これら下側部カバー９ａと中間カバー９ｂとによって覆われた箇所の便器本体２の背面側を覆うように取り付けられている。
【００１７】
次に、便器装置１の背面１ａに設けられた光源部８についてさらに説明する。
光源部８は、便器装置１の背面１ａに設けられ、便器装置１の後方の壁面１０に向けて発光するものであれば、特に限定されない。図例のものは、便器装置１の背面１ａの上部に設けられた例を示している。
具体的にはケース部７の周壁部７ａの背面７ａａ上方には、横長略矩形状の凹所７ａｂが形成されており、この凹所７ａｂに光源部８が組み込まれている。図中７ａｃは、凹所７ａｂの開口部であり、使用状態ではこの開口部７ａｃにカバー８０が嵌め合わされて取り付けられている。カバー８０は、開口部７ａｃの形状に合わせて形成されており、図例のものは横長略矩形状とされ（図２（ｂ）参照）、光源部８からの光を遮断することのない透光性素材からなるものであればよい。
【００１８】
光源部８は、夜間のトイレ室内照明を行うことを意図したものであり、光源部８の点灯、消灯は、便器本体２あるいは操作部１４に人感センサ（図示なし）を設けて自動的に行うようにしてもよい。光源部８の光軸は後方に向けて角度調節され、後方の壁面１０に向けて光を照射して、主にその反射光によって室内照明を行う。光源部８は、発光源８ａと、反射部８ｂとを備えており、発光源８ａとしては、蛍光管、白熱電球あるいは発光ダイオード等を用いることができ、コンパクトで長寿命のものが好適である。反射部８ｂは、便器装置１の設置状態において、壁面１０に向けて光が照射されるように設けられている。図例のものは反射部８ｂが、開口部７ａｃに向けて発光源８ａによる照射角度が広がるように傾斜して四方に設けられており、壁面１０に当たった後、上方だけでなく左右にも拡散するように設計されている。
以上によれば、光源部８が凹所７ａｂに組み込まれ、発光源８ａが凹所７ａｂに埋設されているので、周壁部７ａの背面７ａａから光源部８が出っ張ることがない。よって、カバー８０を開口部７ａｃに取り付ければ、背面７ａａを平坦な面とすることができ、壁面１０側に便器装置１を近接させることも、また所望する隙間を空けて設置することもできる。
【００１９】
図４は便器装置１に設けられた光源部８を点灯させた状態を示しており、（ａ）は便蓋５を閉じた状態、（ｂ）は便蓋５を開けた状態を示している。図４において１２は天井、１３は天井１２に設置された照明、１４は壁面１０に設置された操作部（リモートコントローラ）である。
光源部８を点灯させると発光源８ａからの光は、便蓋５の開閉にかかわらず、反射部８ｂで反射されながらカバー８０を介して壁面１０を照らし、壁面１０に当たった光は反射して便器装置１の周辺を照らす間接照明となる。
以上によれば、光源部８を使用者が直視できない箇所に設けたことにより、使用者が夜間使用時に覚醒しにくようにすることができる。よって例えば男子が夜間に小用を足そうとして、便蓋５の開かれた便器装置１を見下ろしたとき、光源部８の直接光がその者の目を射すことを防止できる。また図例のように便器装置１の背面１ａの上部に光源部８を設けることで、便蓋５を開けると遮断される光があっても、使用者にとってほどよい照度を確保できる。さらに光源部８が間接照明となって夜間使用時でもまぶしさを感じない非覚醒照明とすることができ、便器装置１が設置されたトイレ空間を高級感、雰囲気のある空間とすることができる。
【００２０】
図５は便器装置１をトイレ空間に入室した使用者からみた状態を模式的に示した図である。（ａ）は同便器装置を正面斜め４５度からみた概略的斜視図であり、（ｂ）は同便器装置を正面斜め３０度からみた概略的斜視図である。
このようにトイレ空間に入室した使用者からは、非使用時も使用時も光源部８を直接視認することがないため、非覚醒照明とすることができる。
図５において２点鎖線は、光の照射範囲の一例を示している。このように便器装置１の背面１ａ側の壁面１０に反射した光が「後光」のようになり、反射した光の一部は操作部１４を照らしている。
【００２１】
以上によれば、光源である光源部８が便器装置１の正面側から見えず、光源部８を視認できないので、背の低い幼児等の目線であってもまぶしさを感じることを抑制できる。さらに便器装置１の背面１ａの上部に光源部８を設けることで、図５に示すように光の照射範囲に操作部１４が設置されていれば、操作部１４の設置位置、外郭、操作スイッチ等を視認することができる。よって、天井１２に設置された照明１３を点灯させなくても操作部１４の操作を問題なく行うことができる。
【００２２】
なお、便器装置１の構成、構造は上述に説明した図例に限定されず、例えばボウル部３は陶器製であってもよいし、洗剤補充部７ｂａを有した中間カバー９ｂ、局部洗浄ノズルが格納された開閉蓋３ｂｂ、さらには便蓋５を備えていないものであってもよい。またスカート部６、ケース部７、カバー部９の構成も図例に限定されず、例えばスカート部６が分割して構成されていてもよいし、スカート部６と中間カバー９ｂ及び下側部カバー９ａが一体に形成されたものであってもよい。光源部８の構成も図例に限定されず、光源が複数あってもよいし、凹所７ａｂの形状も矩形状に限定されず円形状であってもよい。さらに便器装置１の排水構造も床排水タイプ、壁排水タイプなどいずれのタイプのものにも適用できる。
【符号の説明】
【００２３】
１        便器装置
１０      壁面
１ａ      背面
７ａｂ    凹所
８        光源部
【図１】
2015117526.tif 000003
【図２】
2015117526.tif 000004
【図３】
2015117526.tif 000005
【図４】
2015117526.tif 000006
【図５】
2015117526.tif 000007